(57)【特許請求の範囲】
【請求項１】
ディジタルデータをディジタルカメラの外部に独立してエクスポートし、又はディジタルデータを前記ディジタルカメラの外部から独立してインポートすることができない内蔵プロセッサを有する前記ディジタルカメラにおいて使用されるように構成されたメモリカードに記憶されたディジタルデータへのアクセスを制限する方法であって、
前記メモリカードからアップロードされたタギングソフトウェアによって可能とされる、前記ディジタルカメラの所定モードを選択することと、
前記メモリカードに記憶されたディジタルデータへのアクセスを制限するためのタグを、前記タギングソフトウェアを用いて、前記ディジタルデータが格納されたフォルダに関連付けることと、
前記メモリカードと通信する装置のＩＤを前記メモリカードへのパスワードの入力から決定すること、
前記パスワードが前記メモリカードに入力されると、前記パスワードは、前記メモリカードに記憶されたディジタルデータへの完全なアクセスは許容しないものの最初のレイヤへのアクセスとしてサムネールバージョンの表示を許容すること、
前記ディジタルデータが格納された前記メモリカードのフォルダに関連付けられた前記タグを読み取ること、
前記ディジタルデータのフォルダに関連付けられた前記タグに従ってアクセス権を設定することと、
前記メモリカードのフォルダに記憶されたディジタルデータへのアクセスを、前記メモリカードに無線で接続された前記装置からの入力に従って制限し、あるフォルダと他のフォルダとで前記ディジタルデータへのアクセスを制御すること
を含む方法。
【請求項２】
前記ディジタルカメラが前記タギングソフトウェアを実行しているか否かを判断することと、
前記ディジタルカメラが前記タギングソフトウェアを実行していない場合に、前記タギングソフトウェアを前記メモリカードから前記ディジタルカメラにアップロードすることと
をさらに含む、請求項１に記載の方法。
【請求項３】
装置のＩＤが、装置ＩＤ、装置ユーザーＩＤ、及び装置ユーザーの組織からなるグループから選択された少なくとも１つである、請求項１又は２に記載の方法。
【請求項４】
前記アクセス権が、前記ディジタルデータの読み取り、前記ディジタルデータの読み取り及び書き込み、及び前記ディジタルデータの取得からなるグループから選択された少なくとも１つである、請求項１乃至３のいずれか一項に記載の方法。
【請求項５】
前記タグの読み取りが、装置のＩＤを前記アクセス権に関連付けるために前記タグの参照テーブルにアクセスすることを含む、請求項１乃至４のいずれか一項に記載の方法。
【請求項６】
前記タグが、ファイル、フォルダ、及び前記ディジタルデータの分割された部分からなるグループのうちの１つに関連付けられる、請求項１乃至５のいずれか一項に記載の方法。
【請求項７】
メモリカードに記憶されたデータへのアクセスを制限することができるメモリカードであって、ディジタルデータをディジタルカメラの外部に独立してエクスポートしたり、前記ディジタルカメラの外部からディジタルデータを独立してインポートしたりすることができない内蔵プロセッサを有する前記ディジタルカメラで使用されるように構成され、
中央プロセッサ及び記憶モジュールのうち少なくとも１つに動作可能に接続されている無線トランシーバモジュールを備えるメモリカードであり、
前記中央プロセッサは、前記ディジタルカメラによってディジタルデータを受信すること、前記ディジタルデータが前記ディジタルカメラによってキャプチャされる場合に前記ディジタルカメラからディジタルデータを送信すること、前記記憶モジュールに記憶されたディジタルデータへのアクセスを制限するためのタグを前記ディジタルデータが格納されたフォルダに関連付けることによりタギングするためにタギングソフトウェアを前記ディジタルカメラにアップロードすること、及び前記ディジタルデータの前記タグを読み取ることのうち少なくとも１つを制御するように構成されており、
前記記憶モジュールは、前記タギングソフトウェアを記憶するために、前記中央プロセッサに動作可能に接続されており、
前記メモリカードの前記中央プロセッサは、
前記メモリカードが前記ディジタルカメラに物理的かつ動作可能に係合されている場合、前記ディジタルカメラが前記タギングソフトウェアによって可能にされる所定モードである時に実行される前記タギングを可能にするために前記タギングソフトウェアを前記内蔵プロセッサにアップロード可能とし、
前記メモリカードに記憶されたディジタルデータへのアクセスを制限するためのタグを、前記タギングソフトウェアを用いて、前記ディジタルデータが格納されたフォルダに関連付け、
前記メモリカードと通信する装置のＩＤを前記メモリカードへのパスワードの入力から決定し、
前記パスワードが前記メモリカードに入力されると、前記パスワードは、前記メモリカードに記憶されたディジタルデータへの完全なアクセスは許容しないものの最初のレイヤへのアクセスとしてサムネールバージョンの表示を許容し、
前記ディジタルデータが格納された前記メモリカードのフォルダに関連付けられた前記タグを読み取り、
前記ディジタルデータのフォルダに関連付けられた前記タグに従ってアクセス権を設定し、
前記メモリカードのフォルダに記憶されたディジタルデータへのアクセスを、前記メモリカードに無線で接続された前記装置からの入力に従って制限し、あるフォルダと他のフォルダとで前記ディジタルデータへのアクセスを制御するメモリカード。
【請求項８】
前記タグが、装置のＩＤをアクセス権に関連付けるための参照テーブルを含む、請求項７に記載のメモリカード。
【請求項９】
装置のＩＤが、装置ＩＤ、装置ユーザーＩＤ、及び装置ユーザーの組織からなるグループから選択された少なくとも１つである、請求項８に記載のメモリカード。
【請求項１０】
前記アクセス権が、前記ディジタルデータの読み取り、前記ディジタルデータの読み取り及び書き込み、及び前記ディジタルデータの取得からなるグループから選択された少なくとも１つである、請求項８に記載のメモリカード。
【請求項１１】
前記中央プロセッサが、前記ディジタルカメラの前記タギングソフトウェアを検出しない場合、前記中央プロセッサは、前記タギングソフトウェアをアップロードするように構成される、請求項７乃至１０のいずれか一項に記載のメモリカード。
【請求項１２】
前記所定モードが、前記ディジタルカメラ上にグラフィックユーザインタフェースを表示することを含む、請求項７乃至１１のいずれか一項に記載のメモリカード。
【請求項１３】
前記タグが、ファイル、フォルダ、及び前記ディジタルデータの分割された部分からなるグループのうちの１つに関連付けられる、請求項７乃至１２のいずれか一項に記載のメモリカード。
【請求項１４】
メモリカードに記憶されたデータへのアクセスを制限するシステムであって、請求項７乃至１３のいずれか一項に記載の前記メモリカードと、ディジタルデータを前記ディジタルカメラの外部に独立してエクスポートし、又はディジタルデータを前記ディジタルカメラの外部から独立してインポートすることができない内蔵プロセッサを有する前記ディジタルカメラとを含む、システム。
【発明の詳細な説明】
【技術分野】
【０００１】
本発明は、メモリカードに記憶されたデータへのアクセスの制限に関する。
【背景技術】
【０００２】
メモリカードは現在、ディジタルカメラ上のディジタルデータのための一般的な記憶媒体である。無線通信機能を有するメモリカードのいくつかの形式が存在する。これらのメモリカードは、ディジタルデータの無線による送受信の両方を可能にする。
【０００３】
これらのメモリカードのいくつかでは、メモリカードに記憶されたデータへのアクセスは、パスワードの入力を必要とする。正しいパスワードが、例えば、メモリカードに無線で接続された装置の入力インタフェースを用いてメモリカードに入力されると、メモリカードに記憶されたデータへのアクセスが可能になる。
【０００４】
よって、メモリカードに記憶されたデータへのアクセスは、正しいパスワードがメモリカードに入力される限り、誰にでも利用できる。個人（パーティ）のＩＤは考慮されず、一旦正しいパスワードが入力されると、アクセスされたデータに何ができるのかについての制限はない。これは、多くの環境において、例えば、アクセスパスワードが盗まれた場合、メモリカードに記憶されたプライベート／機密のデータがある場合などで、望ましくないかもしれない。
【発明の概要】
【０００５】
第１の態様では、ディジタルカメラの外部にディジタルデータを独立してエクスポートしたり、  ディジタルカメラの外部からディジタルデータを独立してインポートしたりすることができない内蔵プロセッサを有するディジタルカメラで使用されるように構成されたメモリカードに記憶されたデータへのアクセスを制限する方法が提供される。この方法は、ディジタルカメラの所定モードであって、メモリカードからアップロードされたタギングソフトウェアによって可能にされる所定モードを選択することと、メモリカードに記憶されたデータへのアクセスを制限するためのタグを、タギングソフトウェアを用いてディジタルデータに関連付けることとを含む。
【０００６】
方法は、メモリカードと通信する装置のＩＤを決定することと、メモリカードに記憶されたディジタルデータと関連付けられたタグを読み取ることと、ディジタルデータに関連付けられたタグに従って装置へのアクセス権を設定することとをさらに含み得る。また方法は、ディジタルカメラがタギングソフトウェアを実行しているか否かを判断することと、ディジタルカメラがタギングソフトウェアを実行していない場合に、タギングソフトウェアをメモリカードからディジタルカメラにアップロードすることとをさらに含み得る。
【０００７】
装置のＩＤは、例えば、装置ＩＤ、装置ユーザーＩＤ、装置ユーザーの組織などを含むことが好ましいかもしれない。アクセス権が、例えば、ディジタルデータの読み取り、ディジタルデータの読み取り及び書き込み、及びディジタルデータの取得を含み得ることが好ましい。
【０００８】
タグの読み取りは、装置のＩＤをアクセス権に関連付けるためにタグの参照テーブルにアクセスすることを含み得ることが好ましい。タグは、例えば、ファイル、フォルダ、ディジタルデータの分割された部分などに関連付けられ得る。また、装置のＩＤがメモリカードへのパスワード入力から決定されることが望ましい。
【０００９】
第２の態様では、メモリカードに記憶されたデータへのアクセスを制限することができるメモリカードが提供され、メモリカードは、ディジタルカメラの外部にディジタルデータを独立してエクスポートしたり、ディジタルカメラの外部からディジタルデータを独立してインポートしたりすることができない内蔵プロセッサを有するディジタルカメラで使用されるように構成される。メモリカードは、中央プロセッサ及び記憶モジュールの少なくとも１つに動作可能に接続される無線トランシーバモジュールを含み、中央プロセッサは、ディジタルカメラによってディジタルデータを受信することと、ディジタルデータがディジタルカメラによってキャプチャされた場合に、ディジタルカメラからディジタルデータを送信することと、ディジタルデータをタギングするためにタギングソフトウェアをディジタルカメラにアップロードすることと、ディジタルデータのタグを読み取ることのうちの少なくとも１つを制御するように構成されており、記憶モジュールは、タギングソフトウェアを記憶するために、中央プロセッサに動作可能に接続されている。
【００１０】
記憶モジュールに記憶されたディジタルデータのタギングを可能にするために、タギングソフトウェアを内蔵プロセッサにアップロードするため、メモリカードがディジタルカメラに物理的かつ動作可能に係合される場合に、メモリカードの中央プロセッサが動作可能であることが好ましく、タギングは、ディジタルカメラがタギングソフトウェアによって可能にされる所定モードにある場合に実行される。所定モードは、ディジタルカメラ上にグラフィカルユーザインタフェースを表示することを含み得る。
【００１１】
タグは、装置のＩＤをアクセス権に関連付けるための参照テーブルを含むことが好ましい。タグは、例えば、ファイル、フォルダ、ディジタルデータの分割された部分などに関連付けられることが好ましい。装置のＩＤは、例えば、装置ＩＤ、装置ユーザーＩＤ、装置ユーザーの組織などを含み得る。また、アクセス権が、例えば、ディジタルデータの読み取り、ディジタルデータの読み取り及び書き込み、ディジタルデータの取得などを含むことが好ましい。装置のＩＤは、メモリカードへのパスワード入力から決定され得る。
【００１２】
中央プロセッサがディジタルカメラにタギングソフトウェアを検出しない場合に、中央プロセッサは、タギングソフトウェアをアップロードするように構成され得る。
【００１３】
最後の態様では、メモリカードに記憶されたデータへのアクセスを制限するためのシステムが提供され、このシステムは、前段落で記述されたメモリカードと、ディジタルカメラの外部にディジタルデータを独立してエクスポートしたり、ディジタルカメラの外部からディジタルデータを独立してインポートしたりするができない内蔵プロセッサとを有するディジタルカメラとを含む。
【図面の簡単な説明】
【００１４】
本発明が完全に理解され、かつ直ちに実施されることを確実にするために、非制限的で、かつ例としてのみの例示的実施形態を通して、後述の記載によって参照される以下の例証図面が提供される。
【図１】図１は、本発明の方法の好ましい一実施形態のプロセスの流れを示す。
【図２】図２は、本発明のメモリカードの使用時の概略図を示す。
【図３】図３は、本発明の参照テーブルの第１例を示す。
【図４】図４は、本発明のグラフィカルユーザインタフェースを示す。
【図５】図５は、本発明の参照テーブルの第２例を示す。
【発明を実施するための形態】
【００１５】
メモリカードに記憶されたデータへのアクセスを制限するための方法が提供され、この方法において、アクセスの制限は、メモリカードとの無線通信の間にメモリカードに記憶されたデータに対して何を実行できるかに関する。さらに、メモリカードとの無線通信の間にメモリカードに記憶されたデータへのアクセスを制限することができるメモリカードも提供される。
【００１６】
以下の段落の説明は、記載の明確さを高めるための助けとするために、明細書の図１〜図５において使用されているラベルに言及する。
【００１７】
図１では、メモリカード６０に記憶されたデータへのアクセスを制限するための方法２０を描くプロセスフローチャートが示される。メモリカード６０は、ディジタルカメラ８０の外部にディジタルデータを独立してエクスポートしたり、ディジタルカメラ８０の外部からディジタルデータを独立してインポートしたりすることができない内蔵プロセッサ８２を有するディジタルカメラ８０で使用されるように構成される。方法２０では、メモリカード６０は、ディジタルカメラ８０に動作可能に接続される。
【００１８】
方法２０は、ディジタルカメラ８０の内蔵プロセッサ８２がタギングソフトウェア７０を実行しているか否かを判断することを含む（２２）。内蔵プロセッサ８２がタギングソフトウェア７０を実行していない場合は（２４）、タギングソフトウェア７０は、メモリカード６０からディジタルカメラ８０にアップロードされる（２８）。タギングソフトウェア７０は、ディジタルカメラ８０のＲＡＭ８８に存在し、内蔵プロセッサ８２で作動する。続いて、ディジタルカメラ８０の所定モードが選択される（３０）。所定モードは、タギングソフトウェア７０が内蔵プロセッサ８２で作動している場合に、「画像タギング」モードとして知られる。特に、所定モードは、内蔵プロセッサ８２で作動しているタギングソフトウェア７０が、タグをファイル、フォルダ  、又はディジタルデータの一部分に関連付けるために起動される場合に関する。これは、図４で示されるように、ディジタルカメラ８０のディスプレイ８６がグラフィカルユーザインタフェース１２０を示し得る場合の態様であり得る。グラフィカルユーザインタフェース１２０のさらなる詳細は、説明の後半で提示される。
【００１９】
ディジタルカメラ８０が既にステップ（２２）でタギングソフトウェア７０を実行している場合は（２６）、次に、ディジタルカメラ８０の所定モードが選択される（３０）。続いて、タギングソフトウェア７０を用いて、タグ７２をメモリカード６０に記憶されたディジタルデータに関連付けることが行われる（３２）。タグ７２は、ファイル、フォルダ  、又はディジタルデータの一部分に関連付けられる。そのため、ディジタルデータに関連付けられた複数のタグ７２が存在し得る。タギングソフトウェア７０を用いてタグ７２を関連付けることは、図４のグラフィカルユーザインタフェース１２０の使用を含む。第１オプションの「読み取り専用」１２２、第２オプションの「リード／ライト」１２４、及び第３オプションの「コピー可能なデータ」１２６が、オプション１２２、１２４、１２６に対応するディスプレイの部分に物理的に接触することによって選択されることができるように、ディジタルカメラ８０のディスプレイ８６は、タッチパネルであってもよい。「読み取り専用」１２２が選択されると、データは読み取り可能であるが、メモリカード６０に通信可能に接続された別の装置に恒久的に記憶されはしない。「リード／ライト」１２４が選択されると、データは、読み取り及び編集可能であるが、メモリカード６０に通信可能に接続された別の装置に恒久的に記憶されはしない。「コピー可能」１２６が選択されると、データは、コピー可能であり、かつメモリカード６０に通信可能に接続された別の装置に恒久的に記憶される。オプション１２２及び１２４はそれぞれ、オプション１２６と同時に選択され得る。別の装置のオプション１２２、１２４、１２６を可能にするために、ソフトウェアを別の装置にインストールする必要があるかもしれない。
【００２０】
あるいは、ディジタルカメラ８０のディスプレイ８６がタッチパネルでない場合は、オプション１２２、１２４、１２６は、例えば、ディジタルカメラ８０のカーソルコントローラ（オプション１２２、１２４、１２６のスクロールを可能にする）、ディジタルカメラ８０の複数の固定ボタン（各ボタンがそれぞれオプション１２２、１２４、１２６に関連付けられる）などを用いて選択され得る。
【００２１】
無線通信機能を有する別の装置は、メモリカード６０に記憶されたデータにアクセスするためにメモリカード６０と通信することができる。この装置は、例えば、携帯電話、ポータブルコンピュータ、タブレットコンピュータなどであってもよい。
【００２２】
方法２０はまた、メモリカード６０と通信する装置のＩＤを決定することを含み（３４）、これによって装置が、例えば、Ｂｌｕｅｔｏｏｔｈ（登録商標）、Ｗｉ−ｆｉ、ＵＷＢなどを用いて、無線の方法でメモリカードと通信する。装置のＩＤは、例えば、装置ＩＤ、装置ユーザーＩＤ、装置ユーザーの組織などであり得る。装置のＩＤは、また、上記の任意の組み合わせであり得る。装置のＩＤは、装置から取得されるか、装置を用いて入力され得る。
【００２３】
装置のＩＤは、装置からのメモリカード６０へのパスワード入力から決定され得る。装置の入力インタフェースを用いて、又はハンドシェーク手順の一部として装置から送信されることによって、パスワードがメモリカード６０に入力されると、パスワードは、メモリカード６０に記憶されたディジタルデータへのアクセスの第１層を許可し得る（例えば、装置は、メモリカード６０にディジタルデータとして記憶された画像のサムネールバージョンを閲覧できるだけである）が、ディジタルデータへの完全なアクセスは許可されない。
【００２４】
続いて、方法２０は、メモリカード６０に記憶されたディジタルデータに関連付けられたタグ７２を読み取ることを含む（３６）。タグ７２の読み取りは、装置のＩＤを装置のアクセス権に関連付けるためにタグ７２の参照テーブル１４０（図３に示される）にアクセスすることを含む。
【００２５】
当然のことながら、参照テーブル１４０のコンテンツは、メモリカード６０が、コンテンツを参照テーブル４０に書き込むことができる別の装置に接続されている場合に、いつでも（例えば、新しい装置がメモリカード６０に接続可能である場合）入力され得る。当然のことながら、参照テーブル１４０のコンテンツは、最高レベルのアクセス権を有するエンティティ（メモリカードの所有者など）によって、又は公知の認証方法を用いる認証されたエンティティによってのみ入力されることができる。
【００２６】
参照テーブル１４０は、図３で示されるように、パスワード欄１４２、装置ＩＤ欄１４４、及びアクセス権欄１４６を含む。参照テーブル１４０の行（Ａ）を参照すると、パスワード「１２３４５」が装置によって入力されると、装置は、「ＸＹコーポレーション（XY  Corp）」と識別され、「読み取り専用」アクセスを有する。同様に、行（Ｂ）の場合は、パスワード「１２２３３」が装置によって入力されると、装置は、「ＺＹパーソン（ZY  Person）」と識別され、「リード／ライト」アクセスを有する。他の行（Ｃ）及び（Ｄ）は、行（Ａ）及び（Ｂ）と同一の規則に従う。当然のことながら、パスワードの入力はオプションであり、このような場合には、参照テーブル１４０がパスワード欄１４２を含まず、装置がパスワードではなく装置ＩＤを入力する。パスワードの入力の必要がない場合は、メモリカード６０に記憶されたディジタルデータへの第１層のアクセスがないかもしれない。
【００２７】
図３に示される参照テーブル１４０は、図５で示されるように別々のテーブルに分割されることが可能であり得る。例えば、パスワード欄１４２及び装置ＩＤ欄１４４は、ディジタルカメラ８０のＲＡＭ８８又はメモリカード６０のいずれかに記憶された第１テーブル２００を形成する。一方、装置ＩＤ欄１４４及びアクセス権欄１４６は、タグ７２に記憶された第２テーブル２１０を形成する。装置ＩＤは「ＸＹコーポレーション」であるため、第１テーブル２００の第１行２０２は、第２テーブル２１０の第３行２１２に対応する。参照テーブル１４０が別々のテーブルに分割されると、利点は、任意の装置のパスワードの変更が第１テーブル２００で実行される必要があるだけで、ファイル、フォルダ  、又はディジタルデータの一部分に関連付けられる各タグ７２に対して実行される必要がないことである。
【００２８】
最後に、方法２０は、ディジタルデータに関連付けられたタグ７２に従って装置のアクセス権を設定することも含む（３８）。アクセス権は、例えば、ディジタルデータの読み取り、ディジタルデータの読み取り及び書き込み、ディジタルデータのコピーなどから選択された少なくとも１つのアクションを含む。アクセス権は、メモリカード６０の中央プロセッサ６２によって制御され得る。
【００２９】
よって、方法２０は、メモリカード６０に記憶されたデータへのアクセスが、メモリカード６０に無線で接続された装置からの入力に従って制限されることを可能にする。例えば、メモリカード６０が家族全体の画像ファイルを記憶するために使用される場合は、特定のフォルダは、家族の全メンバーによってアクセス可能とする一方で、特定のフォルダは、家族の何人かのメンバーにはアクセス禁止とし得る。同様に、特定のフォルダは家族の全メンバーによってアクセス可能であっても、家族の何人かのメンバーは、そのフォルダの画像を閲覧できるのみとする一方で、家族の他のメンバーは、画像にキャプションを挿入するなどできるようにし得る。よって、方法２０は、いかにメモリカード６０が使用されるかに関して柔軟性を許し、メモリカード６０を使用する際に、いかにディジタルデータが共有されるかに関してより大きな範囲の制御を可能にする。
【００３０】
図２では、メモリカード６０に記憶されたデータへのアクセスを制限することができるメモリカード６０が示される。メモリカード６０は、ディジタルカメラ８２の外部にディジタルデータを独立してエクスポートしたり、ディジタルカメラ８２の外部からディジタルデータを独立してインポートしたりすることができない内蔵プロセッサ８２を有するディジタルカメラ８０で使用されるように構成される。
【００３１】
メモリカード６０は、中央プロセッサ６２及び記憶モジュール６８の少なくとも１つに動作可能に接続されている無線トランシーバモジュール６４を含む。無線トランシーバモジュール６４は、ディジタルカメラ８０に送信されたディジタルデータを受信し、記憶モジュール６８からディジタルデータをエクスポートするように構成される。さらに、中央プロセッサ６２は、また、ディジタルカメラ８０によってディジタルデータを受信すること、ディジタルデータがディジタルカメラ８０によってキャプチャされる場合にディジタルカメラ８０からディジタルデータを送信すること、ディジタルデータをタギングするためにタギングソフトウェア７０をディジタルカメラ８０にアップロードすること、及びディジタルデータのタグ７２を読み取ることの少なくとも１つを制御するように構成される。中央プロセッサ６２がディジタルカメラ８０のタギングソフトウェア７２を検出しない場合に、中央プロセッサ６２は、タギングソフトウェア７０をアップロードする。これは、任意の公知のソフトウェア検出手順を用いて実行され得る。記憶モジュール６８は、中央プロセッサ６２に動作可能に接続され、また、タギングソフトウェア７０を記憶するためのものである。
【００３２】
タグ７２は、ファイル、フォルダ  、又はディジタルデータの一部分に関連付けられる。よって、ディジタルデータに関連付けられた複数のタグ７２が存在し得る。タギングソフトウェア７０を用いてタグ７２を関連付けることは、図４のグラフィカルユーザインタフェース１２０の使用を含む。第１オプションの「読み取り専用」１２２、第２オプションの「リード／ライト」１２４、及び第３オプションの「コピー可能なデータ」１２６が、オプション１２２、１２４、１２６に対応するディスプレイの部分に物理的に接触することによって選択されることができるように、ディジタルカメラ８０のディスプレイ８６は、タッチパネルであってよい。「読み取り専用」１２２が選択されると、データは、読み取り可能であるが、メモリカード６０に通信可能に接続された別の装置に恒久的には記憶されはしない。「リード／ライト」１２４が選択されると、データは、読み取り及び編集可能であるが、メモリカード６０に通信可能に接続された別の装置に恒久的には記憶されはしない。
【００３３】
「コピー可能」１２６が選択されると、データは、コピー可能であり、メモリカード６０に通信可能に接続された別の装置に恒久的に記憶される。オプション１２２及び１２４はそれぞれ、オプション１２６と同時に選択され得る。別の装置でオプション１２２、１２４、１２６を可能にするためには、ソフトウェアを別の装置にインストールする必要があるかもしれない。
【００３４】
あるいは、ディジタルカメラ８０のディスプレイ８６がタッチパネルではない場合に、オプション１２２、１２４、１２６は、例えば、ディジタルカメラ８０のカーソルコントローラ（オプション１２２、１２４、１２６のスクロールを可能にする）、ディジタルカメラ８０の複数の固定ボタン（各ボタンはそれぞれオプション１２２、１２４、１２６に関連付けられる）などを用いて選択され得る。
【００３５】
タグ７２は、装置のＩＤを装置のアクセス権に関連付けるために参照テーブル１４０を含み得る（図３に示される）。参照テーブル１４０のコンテンツは、メモリカード６０が、コンテンツを参照テーブル１４０に書き込むことができる別の装置に接続される場合に、入力され得る。当然のことながら、参照テーブル１４０のコンテンツは、最高レベルのアクセス権を有するエンティティ（メモリカードの所有者など）によって、又は公知の認証手順を用いる認証されたエンティティによってのみ入力される。
【００３６】
図３で示される参照テーブル１４０は、図５で示される別々のテーブルに分割されることも可能である。例えば、パスワード欄１４２及び装置ＩＤ欄１４４は、ディジタルカメラ８０のＲＡＭ８８に記憶された第１テーブル２００を形成し、一方、装置ＩＤ欄１４４及びアクセス権欄１４６は、タグ７２に記憶された第２テーブル２１０を形成する。装置ＩＤが「ＸＹコーポレーション」であるため、第１テーブル２００の第１行２０２は、第２テーブル２１０の第３行２１２に対応する。参照テーブル１４０が別々のテーブルに分割されると、利点は、任意の装置のパスワードの変更が第１テーブル２００で実行される必要があるだけで、ファイル、フォルダ、又はディジタルデータの一部分に関連付けられた各タグ７２に対しては実行される必要がないことである。
【００３７】
無線通信機能を有する別の装置は、メモリカード６０に記憶されたデータにアクセスするためにメモリカード６０と通信することができる。この装置は、例えば、携帯電話、ポータブルコンピュータ、タブレットコンピュータなどであり得る。
【００３８】
装置のＩＤは、例えば、装置ＩＤ、装置ユーザーＩＤ、装置ユーザーの組織などであり得る。また、装置のＩＤは、上記の任意の組み合わせであり得る。装置のＩＤは、装置自体から得られるか、又は装置を用いて入力され得る。
【００３９】
装置のＩＤは、装置からのメモリカードへのパスワード入力６０から決定され得る。装置の入力インタフェースを用いて、又はハンドシェーク手順の一部として装置から送信されることによって、パスワードがメモリカード６０に入力される場合に、パスワードは、メモリカード６０に記憶されたディジタルデータへの第１層のアクセスを許可し得る（例えば、装置がメモリカード６０上のディジタルデータとして記憶される画像のサムネールバージョンを閲覧できるだけである）が、ディジタルデータへの完全なアクセスは許可されない。
【００４０】
ディジタルデータへのアクセス権は、例えば、ディジタルデータの読み取り、ディジタルデータの読み取り及び書き込み、ディジタルデータの取得（コピー及び切り取りを含む）などから選択された少なくとも１つのアクションを含む。アクセス権は、メモリカードの中央プロセッサ６２によって制御され得る。
【００４１】
カードインタフェース６６とカードインタフェース８４が結合されている際に、メモリカード６０がディジタルカメラ８０に物理的かつ動作可能に係合している場合、メモリカード６０の中央プロセッサ６２は、動作可能である。次に、中央プロセッサ６２は、記憶モジュール６８に記憶されたディジタルデータのタギングを可能にするために、タギングソフトウェア７０を内蔵プロセッサ８２、特にＲＡＭ８８にアップロードすることができ、タギングは、ディジタルカメラ８０がタギングソフトウェア７０によって可能にされる所定モードにある場合に実行される。所定モードは、タギングソフトウェア７０が内蔵プロセッサ８２で作動する場合に「画像タギング」モードとして知られる。特に、所定モードは、内蔵プロセッサ８２で作動しているタギングソフトウェア７０が、タグをファイル、フォルダ  、又はディジタルデータの一部分に関連付けるために起動される場合に関連する。これは、ディジタルカメラ８０のディスプレイ８６が、図４に示されるようにグラフィカルユーザインタフェース１２０を示す場合の態様であり得る。
【００４２】
メモリカード６０は、メモリカード６０に無線で接続された装置からの入力に従ってメモリカード６０に記憶されたデータへのアクセスを制限するように構成される。例えば、メモリカード６０が家族全体用の画像ファイルを記憶するために使用される場合に、特定のフォルダは、家族の全メンバーによってアクセス可能とする一方で、特定のフォルダは、家族の何人かのメンバーにはアクセス禁止とし得る。同様に、特定のフォルダは家族の全メンバーによってアクセス可能であっても、家族の何人かのメンバーは、そのフォルダの画像を閲覧できるのみとする一方で、家族の他のメンバーは、画像にキャプションを挿入するなどできるようにし得る。よって、メモリカード６０は、ユーザビリティに関して柔軟性があり、また、いかにディジタルデータが共有されるかに関してより大きい範囲の制御を可能にする。
【００４３】
上記の説明は、例示的実施形態として説明してきたが、本発明から逸することなしに、デザイン、構築及び／又は操作の詳細なバリエーションがなされる得ることを、当業者は理解するであろう。
【図１】
0005944509.tif 000002
【図２】
0005944509.tif 000003
【図３】
0005944509.tif 000004
【図４】
0005944509.tif 000005
【図５】
0005944509.tif 000006